(57)【要約】【課題】中間転写装置を構成するフレームの歪みを抑制する。【解決手段】位置決めプレート５１ａ、５１ｂの突起Ｐ，Ｐを結んだ線分をＬ、二次転写ロール３３によりフレーム５１に作用する力の方向である作用線Ｆと線分Ｌとが斜めに交差する位置をＳ、位置決めプレート５１ｂの突起Ｐと位置Ｓとでなす線分をＬ１、位置決めプレート５１ａの突起Ｐと位置Ｓとでなす線分をＬ２としたとき、線分Ｌ１：線分Ｌ２＝２．８５：ｘ（０≦ｘ≦１）とする。これにより、位置決めプレート５１ａを当該条件外とした場合に比較してフレーム５１の歪みが抑制される。【選択図】図１３
2013148810.tif 000002
【特許請求の範囲】
【請求項１】
一次転写手段により複数色の現像剤像が相互に重ね合わされるように転写される無端状の中間転写体と、
前記中間転写体が周方向に回転するように当該中間転写体を支持する複数の中間転写体支持部材と、
前記中間転写体の幅方向の両側にそれぞれ設けられ、前記複数の中間転写体支持部材の両端を支持する２つの枠体と、
それぞれの前記枠体の２カ所に間隔をあけて設けられ、装置本体に装着された際に当該装置本体に圧接して位置決めを行う位置決め部位を備えた位置決め部材とを有し、
少なくとも何れかの前記枠体は、前記２カ所の位置決め部位を結んだ線分をＬ、前記中間転写体を介して一つの前記中間転写体支持部材を押して前記中間転写体上の現像剤像を記録媒体に転写する二次転写手段により前記枠体に作用する力の方向を表した線である作用線と前記線分Ｌとが斜めに交差する位置をＳ、前記作用線が傾斜した側と反対側の前記位置決め部材の位置決め部位と前記位置Ｓとでなす線分をＬ１、前記作用線が傾斜した側の前記位置決め部材の位置決め部位と前記位置Ｓとでなす線分をＬ２としたとき、線分Ｌ１：線分Ｌ２＝２．８５：ｘ（０≦ｘ≦１）である、
ことを特徴とする中間転写装置。
【請求項２】
複数色に対応して設けられ、画像情報に基づいて形成される静電潜像を保持する複数の静電潜像保持手段と、
前記複数の静電潜像保持手段に対応して設けられ、各静電潜像保持手段の表面に形成された静電潜像を現像剤を用いて画像として現像する複数の現像手段と、
請求項１記載の中間転写装置と、
前記複数の静電潜像保持手段に対応して設けられ、前記静電潜像保持手段上の現像剤像が相互に重ね合わされるように前記中間転写体に転写する複数の一次転写手段と、
前記中間転写体上の現像剤像を記録媒体に転写する二次転写手段と、
前記記録媒体に転写された現像剤像を当該記録媒体に定着させる定着手段と、
を有することを特徴とする画像形成装置。
【発明の詳細な説明】
【技術分野】
【０００１】
本発明は、中間転写装置および画像形成装置に関するものである。
【背景技術】
【０００２】
画像形成装置の一種としてのタンデム型のカラープリンタにおいては、帯電装置、現像装置、感光体ドラム（静電潜像保持体の一例）などの部材が設けられ、イエロー（Ｙ）、マゼンタ（Ｍ）、シアン（Ｃ）、ブラック（Ｋ）の各色のトナー像（現像剤像の一例）を形成する４つの画像ユニットが設けられている。
【０００３】
そして、一次転写ロールを用いて、これらの画像形成ユニットで形成された各色トナー像が相互に重ね合わされるように中間転写ベルト（中間転写体の一例）に転写（一次転写）しておき、二次転写ロールにより中間転写ベルト上のトナー像を用紙に転写（二次転写）している。
【０００４】
したがって、トナー像が一次転写される中間転写ベルトは、予め設定された通りに感光体ドラムとの位置関係が保たれていることが必要とされる。
【０００５】
ここで、中間転写ベルトはその幅方向の両側に設けられたフレーム（枠体の一例）により、中間転写ベルトが周方向に回転するように支持している複数のロールを介して支持されており、中間転写装置としてユニット化されている。
【０００６】
よって、中間転写ベルトと感光体ドラムとの位置関係を適正に保つためには、中間転写装置を構成するフレームの歪みを抑制することが重要になる。
【０００７】
なお、装置の構成要素の歪みを抑制する技術としては、例えば、特開２００９−２５８４５７号公報や特開２００７−６９４５４０号公報に記載されたものがある。
【先行技術文献】
【特許文献】
【０００８】
【特許文献１】特開２００９−２５８４５７号公報
【特許文献２】特開２００７−６９４５４０号公報
【発明の概要】
【発明が解決しようとする課題】
【０００９】
本発明は、中間転写装置を構成する枠体の歪みを抑制することのできる技術を提供することを目的とする。
【課題を解決するための手段】
【００１０】
上記課題を解決するため、請求項１に記載の本発明の中間転写装置は、一次転写手段により複数色の現像剤像が相互に重ね合わされるように転写される無端状の中間転写体と、前記中間転写体が周方向に回転するように当該中間転写体を支持する複数の中間転写体支持部材と、前記中間転写体の幅方向の両側にそれぞれ設けられ、前記複数の中間転写体支持部材の両端を支持する２つの枠体と、それぞれの前記枠体の２カ所に間隔をあけて設けられ、装置本体に装着された際に当該装置本体に圧接して位置決めを行う位置決め部位を備えた位置決め部材とを有し、少なくとも何れかの前記枠体は、前記２カ所の位置決め部位を結んだ線分をＬ、前記中間転写体を介して一つの前記中間転写体支持部材を押して前記中間転写体上の現像剤像を記録媒体に転写する二次転写手段により前記枠体に作用する力の方向を表した線である作用線と前記線分Ｌとが斜めに交差する位置をＳ、前記作用線が傾斜した側と反対側の前記位置決め部材の位置決め部位と前記位置Ｓとでなす線分をＬ１、前記作用線が傾斜した側の前記位置決め部材の位置決め部位と前記位置Ｓとでなす線分をＬ２としたとき、線分Ｌ１：線分Ｌ２＝２．８５：ｘ（０≦ｘ≦１）である、ことを特徴とする。
【００１１】
上記課題を解決するため、請求項２に記載の本発明の画像形成装置は、複数色に対応して設けられ、画像情報に基づいて形成される静電潜像を保持する複数の静電潜像保持手段と、前記複数の静電潜像保持手段に対応して設けられ、各静電潜像保持手段の表面に形成された静電潜像を現像剤を用いて画像として現像する複数の現像手段と、請求項１記載の中間転写装置と、前記複数の静電潜像保持手段に対応して設けられ、前記静電潜像保持手段上の現像剤像が相互に重ね合わされるように前記中間転写体に転写する複数の一次転写手段と、前記中間転写体上の現像剤像を記録媒体に転写する二次転写手段と、前記記録媒体に転写された現像剤像を当該記録媒体に定着させる定着手段と、を有することを特徴とする。
【発明の効果】
【００１２】
請求項１記載の発明によれば、本発明を採用しない場合に比較して、中間転写装置を構成する枠体の歪みを抑制することが可能になる。
【００１３】
請求項２記載の発明によれば、本発明を採用しない場合に比較して、中間転写体と静電潜像保持手段との位置関係を適正に保つことが可能になる。
【図面の簡単な説明】
【００１４】
【図１】本発明の一実施の形態に係る画像形成装置の構成を示す概略図である。
【図２】図１の画像形成装置に装着される中間転写装置を示す斜視図である。
【図３】図２の中間転写装置を装置本体に対する装着方向手前からみた側面図である。
【図４】図２の中間転写装置を装置本体に対する装着方向奥側からみた側面図である。
【図５】図２の中間転写装置の平面図である。
【図６】図２の中間転写装置を装置本体に装着する際に用いられる着脱部材を示す斜視図である。
【図７】図２の中間転写装置に用いられたフレーム（フレーム５１）を示す説明図である。
【図８】図７のフレームにおいて一例としての位置決めプレート（位置決めプレート５１ａ）の突起の位置とフレームの歪み量との観察結果を示す説明図である。
【図９】図７のフレームにおいて他の一例としての位置決めプレート（位置決めプレート５１ａ）の突起の位置とフレームの歪み量との観察結果を示す説明図である。
【図１０】図７のフレームにおいて他の一例としての位置決めプレート（位置決めプレート５１ａ）の突起の位置とフレームの歪み量との観察結果を示す説明図である。
【図１１】図７のフレームにおいて他の一例としての位置決めプレート（位置決めプレート５１ａ）の突起の位置とフレームの歪み量との観察結果を示す説明図である。
【図１２】図７のフレームにおいて他の一例としての位置決めプレート（位置決めプレート５１ａ）の突起の位置とフレームの歪み量との観察結果を示す説明図である。
【図１３】図７のフレームにおいて他の一例としての位置決めプレート（位置決めプレート５１ａ）の突起の位置とフレームの歪み量との観察結果を示す説明図である。
【図１４】図７のフレームにおいて他の一例としての位置決めプレート（位置決めプレート５１ａ）の突起の位置とフレームの歪み量との観察結果を示す説明図である。
【発明を実施するための形態】
【００１５】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１６】
図１は、本発明の一実施の形態に係る画像形成装置としてのタンデム型のデジタルカラー複写機ＰＲ１を示すものである。
【００１７】
このデジタルカラー複写機ＰＲ１の一端側の上部には、原稿２をプラテンガラス５上に押圧するプラテンカバー３と、プラテンガラス５上に載置された原稿２の画像を読み取る画像読取装置４が設けられている。
【００１８】
この画像読取装置４は、プラテンガラス５上に載置された原稿２を光源６によって照明し、原稿２からの反射光像を、フルレートミラー７およびハーフレートミラー８、９および結像レンズ１０からなる縮小光学系を介してＣＣＤ等からなる画像読取素子１１上に走査露光して、この画像読取素子１１によって原稿２の色材反射光像を予め設定されたドット密度で読み取るように構成されている。
【００１９】
画像読取装置４によって読み取られた原稿２の色材反射光像は、例えば、赤（Ｒ）、緑（Ｇ）、青（Ｂ）の３色の原稿反射率データとして画像処理装置１２に送られ、この画像処理装置１２では、原稿２の反射率データに対して、シェーデイング補正、位置ズレ補正、明度／色空間変換、ガンマ補正、枠消し、色／移動編集等の画像処理が施される。
【００２０】
そして、画像処理装置１２で画像処理が施された画像データは、イエロー（Ｙ）、マゼンタ（Ｍ）、シアン（Ｃ）、黒（Ｋ）の４色の原稿色材階調データ（ラスタデータ）に変換され、次に述べるように、イエロー（Ｙ）、マゼンタ（Ｍ）、シアン（Ｃ）、黒（Ｋ）の各色の画像形成ユニット１３Ｙ、１３Ｍ、１３Ｃ、１３Ｋの露光装置１４Ｙ、１４Ｍ、１４Ｃ、１４Ｋ（露光手段の一例。以下、総称して単に「露光装置１４」とも称する。）に送られ、これらの露光装置１４では、原稿色材階調データに応じてレーザ光による画像露光が行われる。
【００２１】
タンデム型のデジタルカラー複写機ＰＲ１の内部には、上述したように、イエロー（Ｙ）、マゼンタ（Ｍ）、シアン（Ｃ）、黒（Ｋ）の４つの画像形成ユニット１３Ｙ、１３Ｍ、１３Ｃ、１３Ｋ（以下、総称して単に「画像形成ユニット１３」とも称する。）が、水平方向に間隔を空けて配置されている。
【００２２】
また、画像信号に対して画像処理を施す画像処理回路や高圧電源回路等からなる電気回路４９が設けられている。
【００２３】
４つの画像形成ユニット１３Ｙ、１３Ｍ、１３Ｃ、１３Ｋは、すべて同様に構成されており、矢印Ａ方向に沿って予め設定された回転速度で回転する感光体ドラム１５（静電潜像保持手段の一例）と、この感光体ドラム１５の表面を帯電する一次帯電用の帯電器１６（帯電手段の一例）と、当該感光体ドラム１５の表面に各色に対応した画像を露光して静電潜像を形成する露光装置１４と、感光体ドラム１５上に形成された静電潜像を現像してトナー像（現像剤像の一例）にする現像装置１７Ｙ、１７Ｍ、１７Ｃ、１７Ｋ（現像手段の一例。以下、総称して単に「現像装置１７」とも称する。）、トナー像転写後に感光体ドラム１５上に残留したトナー等を除去するクリーニング装置１８とから構成されている。
【００２４】
露光装置１４は、半導体レーザ１９を原稿色材階調データに応じて変調して、この半導体レーザ１９からレーザ光ＬＢを階調データに応じて出射する。半導体レーザ１９から出射されたレーザ光ＬＢは、反射ミラー２０、２１を介して回転多面鏡２２によって偏向走査され、再び反射ミラー２０、２１および複数枚の反射ミラー２３、２４を介して静電潜像保持手段としての感光体ドラム１５上に走査露光される。
【００２５】
画像処理装置１２からは、イエロー（Ｙ）、マゼンタ（Ｍ）、シアン（Ｃ）、黒（Ｋ）の各色の画像形成ユニット１３の露光装置１４に各色の画像データ（ラスタデータ）が順次出力され、これらの露光装置１４から画像データに応じて出射されるレーザ光ＬＢが、それぞれの感光体ドラム１５の表面に走査露光されて静電潜像が形成される。
【００２６】
各感光体ドラム１５に形成された静電潜像は、現像装置１７によって、それぞれイエロー（Ｙ）、マゼンタ（Ｍ）、シアン（Ｃ）、黒（Ｋ）の各色のトナー像として現像される。
【００２７】
各画像形成ユニット１３の感光体ドラム１５上に、順次形成されたイエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの下方に配置された中間転写体としての中間転写ベルト２５上に、一次転写ロール２６Ｙ、２６Ｍ、２６Ｃ、２６Ｋ（一次転写手段の一例）によって相互に重ね合わされるように、つまり多重に転写される。
【００２８】
この中間転写ベルト２５は、ベルト駆動ロール２７（中間転写体支持部材の一例）と、テンションロール２８（中間転写体支持部材の一例）と、テンショナ２９（中間転写体支持部材の一例）と、アイドルロール３０（中間転写体支持部材の一例）と、バックアップロール３１（中間転写体支持部材の一例）と、アイドルロール３２（中間転写体支持部材の一例）との間に掛け回されて支持されている。そして、テンショナ２９によって予め決められたテンションが付与された状態で、図示しない駆動モータによって回転駆動される駆動力伝達ロールによって従動回転されるベルト駆動ロール２７により、矢印Ａに示す周方向に回転するようになっている。
【００２９】
中間転写ベルト２５としては、例えば、可撓性を有するポリアミドイミド等の合成樹脂フィルムを帯状に形成し、この帯状に形成された合成樹脂フィルムの両端を溶着等の手段によって接続することにより、無端状に形成したものが用いられる。
【００３０】
中間転写ベルト２５上に多重に転写されたイエロー（Ｙ）、マゼンタ（Ｍ）、シアン（Ｃ）、黒（Ｋ）のトナーからなるトナー像は、バックアップロール３１に圧接する二次転写ロール３３（二次転写手段）によって、圧接力および静電気力で記録媒体としての記録用紙３４上に一括して２次転写され、この各色のトナー像が転写された記録用紙３４は、２連の搬送ベルト３５、３６によって定着器３７（定着手段の一例）へと搬送される。
【００３１】
そして、上記各色のトナー像が転写された記録用紙３４は、定着器３７によって熱および圧力で定着処理を受け、デジタルカラー複写機ＰＲ１の外部に設けられた排出トレイ３８上に排出される。
【００３２】
記録用紙３４は、図１に示すように、複数の給紙トレイ３９、４０、４１のうちの何れかのトレイから、給紙ローラ４２および用紙搬送用のローラ対４３、４４、４５からなる用紙搬送経路４６を介して、レジストロール４７まで一旦搬送される。
【００３３】
給紙トレイ３９、４０、４１のうちの何れかから供給された記録用紙３４は、予め決められたタイミングで回転駆動されるレジストロール４７によって中間転写ベルト２５上へ送出される。
【００３４】
そして、黒、イエロー、マゼンタおよびシアンの４つの画像形成ユニット１３Ｙ、１３Ｍ、１３Ｃ、１３Ｋでは、上述したように、それぞれ黒、イエロー、マゼンタ、シアンのトナー像が順次形成されるようになっている。
【００３５】
なお、感光体ドラム１５は、トナー像の転写工程が終了した後、クリーニング装置１８によって残留トナーや紙粉等が除去されて、次の画像形成プロセスに備える。
【００３６】
また、中間転写ベルト２５は、ベルト用クリーナ４８によって残留トナーが除去される。
【００３７】
ここで、図２〜図５に示すように、中間転写ベルト２５の幅方向の両側には、中間転写体支持部材の一例としての前述したベルト駆動ロール２７、テンションロール２８、テンショナ２９、アイドルロール３０、バックアップロール３１およびアイドルロール３２の両端を支持する２つのフレーム５１，５２（枠体の一例）が設けられている。
【００３８】
そして、これらはユニット化されて中間転写装置５０を形成しており、装置本体１に対して着脱されるようになっている。
【００３９】
フレーム５１，５２には、中間転写装置５０が装置本体１に装着された際に当該装置本体１の構成要素に圧接して位置決めを行うための位置決めプレート５１ａ、５１ｂ、５２ａ、５２ｂ（位置決め部材の一例）が、それぞれ２カ所に間隔をあけて設けられている。なお、フレーム５１に設けられた位置決めプレート５１ａ、５１ｂの間隔の方が、フレーム５２に設けられた位置決めプレート５２ａ、５２ｂの間隔よりも狭くなっている。
【００４０】
位置決めプレート５１ａ、５１ｂ、５２ａ、５２ｂには、例えば円柱状で上方に向けた突起Ｐ（位置決め部位の一例）が形成されており、中間転写装置５０が装置本体１に装着されて上方へと変位したときに（詳細は後述する）突起Ｐが装置本体１側の位置決め孔（図示せず）に嵌り込むことにより横方向が規制され、併せて上方への変位により位置決めプレート５１ａ、５１ｂ、５２ａ、５２ｂそのものが装置本体１の構成要素に圧接されることにより上下方向が規制されるようになっている。
【００４１】
以上のような構成の中間転写装置５０は、図６に示す着脱部材６０に搭載されて装置本体１に装着される。
【００４２】
図示する着脱部材６０は平面視で略コ字状を呈しており、回転カム６４が取り付けられた一対のサイドフレーム６１と、両端がサイドフレーム６１に連結されたフロントフレーム６２を備えている。フロントフレーム６２には、回転カム６４の回転中心とは異なる位置で当該回転カム６４に回転自在に接続されたスライダ６３とリンク機構で接続されたハンドルシャフト６５、およびこのハンドルシャフト６５を回転させるためのハンドル６６が設けられている。また、着脱部材６０は、サイドフレーム６１が装置本体１に設けられたレール（図示せず）に嵌り込むようになっており、これによって着脱方向Ｄに往復動する。
【００４３】
そして、ハンドル６６を起こすとハンドルシャフト６５を介してスライダ６３がスライドすることにより回転カム６４が起き上がるように回転し、これによってサイドフレーム６１に載置された台座６７が上昇する。また、ハンドル６６を手前に倒すと、逆に回転カム６４が沈み込むように回転し、台座６７が下降する。
【００４４】
このような構成の着脱部材６０に対し、各ロール等２７〜３１の軸方向が図６の矢印で示す着脱方向Ｄに沿うようにし、且つフレーム５１が図面手前となるようにして、中間転写装置５０を台座６７上に搭載する。
【００４５】
そして、着脱部材６０をレールに沿って装置本体１に押し込み、ハンドル６６を起こすことにより、回転カム６４の動作により台座６７を介して着脱部材６０が上方へ変位する。これにより、前述のように中間転写装置５０の横方向および上下方向が規制されて装置本体１に装着される。
【００４６】
ここで、本発明者は、フレーム５１，５２の歪み要因についての考察を行った。具体的には、二次転写ロール３３による圧接力とフレーム５１，５２に設けられた位置決めプレート５１ａ、５１ｂ、５２ａ、５２ｂの位置関係についての解析を行った。
【００４７】
なお、フレーム５１，５２の材質はクロムフリー鋼板、厚み１．６ｍｍである。また、フレーム５１の寸法について示すと、図７において、高さＨ＝１１７ｍｍ、幅Ｗ＝５０６．５ｍｍ、位置決めプレート５１ａ，５１ｂに形成された突起Ｐの径＝１．５５ｍｍ、バックアップロール３１と位置決めプレート５１ａの突起Ｐとの幅方向の距離Ｗ１＝２３８．２ｍｍ、バックアップロール３１と位置決めプレート５１ｂの突起Ｐとの幅方向の距離Ｗ２＝１４７ｍｍとなっている。
【００４８】
このようなフレーム５１について、位置決めプレート５１ａの位置を変えて歪み量を観察した。つまり、位置決めプレート５１ａの突起Ｐと位置決めプレート５１ｂの突起Ｐとを結んだ線分をＬ、二次転写ロール３３によりフレーム５１に作用する力（ニップ圧）の方向を表した線である作用線Ｆと線分Ｌとが斜めに交差する位置をＳ、作用線Ｆが傾斜した側と反対側の位置決め部材である位置決めプレート５１ａの突起Ｐと位置Ｓとでなす線分をＬ１、作用線Ｆが傾斜した側の位置決め部材である位置決めプレート５１ａの突起Ｐと位置Ｓとでなす線分をＬ２としたとき、線分Ｌ１と線分Ｌ２との比を求めた。なお、ニップ圧は７２Ｎに設定した。
【００４９】
位置決めプレート５１ａの突起Ｐの位置とフレーム５１の歪み量との観察結果を図８〜図１４に示す。
【００５０】
図８はＬ＝３８８ｍｍ、Ｌ１＝２２８ｍｍ、Ｌ２＝１６０ｍｍである。図９はＬ＝Ｌ１＝２２８ｍｍ、Ｌ２＝０ｍｍである。図１０はＬ＝２７８ｍｍ、Ｌ１＝２２８ｍｍ、Ｌ２＝５０ｍｍである。図１１はＬ＝３２８ｍｍ、Ｌ１＝２２８ｍｍ、Ｌ２＝１００ｍｍである。図１２はＬ＝Ｌ１＝２２８ｍｍ、Ｌ２＝−５０ｍｍである。図１３はＬ＝３０８ｍｍ、Ｌ１＝２２８ｍｍ、Ｌ２＝８０ｍｍである。図１４はＬ＝Ｌ１＝２２８ｍｍ、Ｌ２＝−１０ｍｍである。
【００５１】
また、符号Ｚ１は歪み量０．７３ｍｍ以上の領域を、符号Ｚ２は歪み量０．６７ｍｍ〜０．７３ｍｍの領域を、符号Ｚ３は歪み量０．６０ｍｍ〜０．６７ｍｍの領域を、符号Ｚ４は歪み量０．５３ｍｍ〜０．６０ｍｍの領域を、符号Ｚ５は歪み量０．４７ｍｍ〜０．５３ｍｍの領域を、符号Ｚ６は歪み量０．４０ｍｍ〜０．４７ｍｍの領域を、符号Ｚ７は歪み量０．３３ｍｍ〜０．４０ｍｍの領域を、符号Ｚ８は歪み量０．３３ｍｍ以下の領域を、それぞれ示している。
【００５２】
これらの図面において、歪み量が大きくなっているのは（符号Ｚ１で示す歪み量０．７３ｍｍ以上の領域があるのは）、図８、図１１、図１２、図１４である。また、歪み量が少ないのは（符号Ｚ１で示す歪み量０．７３ｍｍ以上の領域がないのは）、図９、図１０、図１３である。
【００５３】
この結果から、Ｌ２＝８０ｍｍ以下のときにフレーム５１の歪み量が少なくなっているのがわかる。そして、Ｌ２＝０ｍｍまでは歪み量は少ないが、Ｌ２の符号がマイナスになると、つまり位置決めプレート５１ａの突起Ｐの位置が位置Ｓよりも位置決めプレート５１ｂ側になると、急激に歪み量が大きくなっている。これをＬ１との関係でみると、Ｌ１：Ｌ２＝２２８ｍｍ：０〜８０ｍｍ、すなわちＬ１：Ｌ２＝２．８５：ｘ（０≦ｘ≦１）と表される。
【００５４】
したがって、当該条件を満たしたフレーム５１とすることにより、歪みが抑制されることになる。そして、このようなフレーム５１を採用することにより、中間転写ベルト２５と感光体ドラム１５との位置関係が適正に保たれ、良好な品質の画像形成が実行されるようになる。
【００５５】
なお、本実施の形態では、図２〜図５に示すように、フレーム５１に設けられた位置決めプレート５１ａ，５１ｂ間の突起Ｐの距離とフレーム５１に設けられた位置決めプレート５２ａ，５２ｂ間の突起Ｐの距離とは異なっている。このような場合には、フレーム５１またはフレーム５２の何れか、または両方のフレーム５１，５２が前述した条件を満たしていればよい。
【００５６】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００５７】
たとえば上記実施の形態におけるフレーム５１，５２において示した寸法は一例に過ぎず、Ｌ１：Ｌ２＝２．８５：ｘ（０≦ｘ≦１）との条件を満たしている限り、様々な数値が設定される。
【産業上の利用可能性】
【００５８】
以上の説明では、本発明のイエロー、マゼンタ、シアン、ブラックの４色の現像剤を用いて記録する画像形成装置に適用した場合が示されているが、用いられる現像剤の色種類および色数は本実施の形態に限定されるものではない。
【符号の説明】
【００５９】
１  装置本体
１４  露光装置
１５  感光体ドラム
１７  現像装置
２５  中間転写ベルト
２６Ｙ、２６Ｍ、２６Ｃ、２６Ｋ  一次転写ロール
２７  ベルト駆動ロール
２８  テンションロール
２９  テンショナ
３０  アイドルロール
３１  バックアップロール
３２  アイドルロール
３３  二次転写ロール
３４  記録用紙
３７  定着器
５０  中間転写装置
５１，５２  フレーム
５１ａ、５１ｂ、５２ａ、５２ｂ  位置決めプレート
６０  着脱部材
６１  サイドフレーム
６２  フロントフレーム
６３  スライダ
６４  回転カム
６５  ハンドルシャフト
６６  ハンドル
６７  台座
Ｄ  着脱方向
Ｐ  突起
ＰＲ１  デジタルカラー複写機
【図１】
2013148810.tif 000003
【図２】
2013148810.tif 000004
【図３】
2013148810.tif 000005
【図４】
2013148810.tif 000006
【図５】
2013148810.tif 000007
【図６】
2013148810.tif 000008
【図７】
2013148810.tif 000009
【図８】
2013148810.tif 000010
【図９】
2013148810.tif 000011
【図１０】
2013148810.tif 000012
【図１１】
2013148810.tif 000013
【図１２】
2013148810.tif 000014
【図１３】
2013148810.tif 000015
【図１４】
2013148810.tif 000016